(57)【要約】      （修正有）【課題】  トップカバーを低くし、洗濯物投入口を広くでき、風呂水吸水用ポンプと洗濯水循環用ポンプを駆動する電動機を一つにし、部品点数を低減した洗濯機を提供する。【解決手段】洗濯物が収納される洗濯槽と、この洗濯槽を内置する外槽と、この外槽を内置する洗濯機の外枠と、風呂水の吸水と洗濯水の循環を行なう風呂水吸水兼洗濯水循環用電動ポンプを有し、風呂水吸水兼洗濯水循環用電動ポンプは、風呂水吸水ランナーが備わる風呂水吸水ポンプ部と、洗濯水循環ランナーが備わる洗濯水循環ポンプ部と、風呂水吸水ランナーおよび洗濯水循環ランナーを駆動するポンプ用電動機を有し、風呂水吸水兼洗濯水循環用電動ポンプは、外槽の下側に位置するように外枠内に備え、風呂水吸水ポンプ部のポンプ機能と洗濯水循環ポンプ部のポンプ機能がポンプ用電動機の回転方向を切り替えにより切り替えられることにより１つの電動機により駆動したことを特徴とする。【選択図】図１
2006198293.tif 000002
【特許請求の範囲】
【請求項１】
洗濯物が収納される洗濯槽と、この洗濯槽を内置する外槽と、この外槽を内置する洗濯機の外枠と、風呂水の吸水と洗濯水の循環を行なう風呂水吸水兼洗濯水循環用電動ポンプを有し、
前記風呂水吸水兼洗濯水循環用電動ポンプは、風呂水吸水ランナーが備わる風呂水吸水ポンプ部と、洗濯水循環ランナーが備わる洗濯水循環ポンプ部と、風呂水吸水ランナーおよび洗濯水循環ランナーを駆動するポンプ用電動機を有し、
前記風呂水吸水兼洗濯水循環用電動ポンプは、前記外槽の下側に位置するように前記外枠内に備え、
前記風呂水吸水ポンプ部のポンプ機能と前記洗濯水循環ポンプ部のポンプ機能が前記ポンプ用電動機の回転方向の切り替えにより切り替えられることを特徴とする洗濯機。
【請求項２】
請求項１記載の洗濯機において、
前記外枠の上側に風呂水ホース接続部を設け、
前記風呂水吸水ポンプ部の吸込側を風呂水吸水下り流路を介して前記風呂水ホースの接続部に連通し、前記風呂水吸水ポンプ部の吐出側を前記外槽の内底側に連通したことを特徴とする洗濯機。
【請求項３】
請求項１記載の洗濯機において、
前記洗濯槽の上側に注水口を含む注水手段を設け、
前記洗濯水循環ポンプ部の吐出側を循環水昇り流路を介して注水手段に連通し、前記洗濯水循環ポンプ部の吸込側を前記外槽の内底側に連通し、
前記洗濯水循環ポンプ部の吸込側と前記外槽の内底側とを連通する吸込連通路を設け、
前記風呂水吸水ポンプ部の吐出側を前記吸込連通路に連通したことを特徴とする洗濯機。
【請求項４】
請求項１に記載された洗濯機において、
前記外枠の上側に水道水の給水電磁弁を設け、
前記風呂水吸水ポンプ部の運転開始前あるいは運転開始と一緒に前記給水電磁弁を開いて呼水の給水を行なうことを特徴とする洗濯機。
【請求項５】
請求項３記載の洗濯機において、
前記風呂水吸水下り流路に大気開放用電磁弁を設けたことを特徴とする洗濯機。
【発明の詳細な説明】
【技術分野】
【０００１】
本発明は、風呂水の給水、洗濯水の循環ができるポンプを備えた洗濯機の改良に係わる。
【背景技術】
【０００２】
風呂水の給水、洗濯水の循環ができるポンプを備えた洗濯機は、例えば、特許文献１（特開平６−１７８８９５号公報）に示される。
【０００３】
特許文献１に示される洗濯機は、洗濯槽の下方に洗濯水循環用ポンプを備えている。洗濯水循環用ポンプは、洗濯水を揚水して洗濯槽上から洗濯中の洗濯物に撒布する。
【０００４】
また、洗濯機の上側のトップカバーに風呂水吸水用ポンプを備える洗濯機もある。
【０００５】
【特許文献１】特開平６−１７８８９５号公報
【発明の開示】
【発明が解決しようとする課題】
【０００６】
特許文献１に示す洗濯水循環用ポンプや、風呂水吸水用ポンプは、別々の役割分担を有し、別々のところに備えられる。
【０００７】
洗濯機の上側に備わるトップカバーの狭い空間が風呂水吸水用ポンプに占められるので、トップカバーの高さを低くしたり、洗濯物投入口を大きくしたりする上での妨げになっている。また、風呂水吸水用ポンプと、洗濯水循環用ポンプは別々の駆動用電動機を使用しているので、二つの駆動用電動機を必要とし部品点数が多くなるなどの問題がある。
【０００８】
本発明は、上記の問題に対処し、トップカバーを低くし、洗濯物投入口を広くすることができ、風呂水吸水用ポンプと洗濯水循環用ポンプを駆動する電動機を一つにし、部品点数を低減した洗濯機を提供することを目的とする。
【課題を解決するための手段】
【０００９】
本発明は、洗濯物が収納される洗濯槽と、この洗濯槽を内置する外槽と、この外槽を内置する洗濯機の外枠と、風呂水の吸水と洗濯水の循環を行なう風呂水吸水兼洗濯水循環用電動ポンプを有し、風呂水吸水兼洗濯水循環用電動ポンプは、風呂水吸水ランナーが備わる風呂水吸水ポンプ部と、洗濯水循環ランナーが備わる洗濯水循環ポンプ部と、風呂水吸水ランナーおよび洗濯水循環ランナーを駆動するポンプ用電動機を有し、風呂水吸水兼洗濯水循環用電動ポンプは、外槽の下側に位置するように外枠内に備え、風呂水吸水ポンプ部のポンプ機能と洗濯水循環ポンプ部のポンプ機能がポンプ用電動機の回転方向を切り替えることにより１つの電動機により駆動したことを特徴とする。
【発明の効果】
【００１０】
本発明によれば、風呂水給水ポンプを外槽の底部に配置しているので背丈が高く床面積の大きい風呂水給水ポンプをトップカバー側に配置しなくてもよいため、トップカバーを低くし、洗濯物投入口を広くすることができ、風呂水吸水用ポンプと洗濯水循環用ポンプを駆動する電動機を一つにして部品点数の低減ができる。
【発明を実施するための最良の形態】
【００１１】
本発明の実施形態に係わる実施例について、図を引用して説明する。
【００１２】
まず、図１、図２に沿って洗濯機の概要から順に述べる。
【００１３】
洗濯機本体の外枠１の内側に内装される洗濯槽２は、内底部に洗濯物を攪拌回転する回動自在なる洗濯回転体３が備わる。洗濯槽２の上部内側には、バランスリング４が備わる。洗濯槽２内に洗たく水を溜める外槽５が洗濯槽２の外側に設けられている。洗濯槽２は脱水槽を兼ねる。脱水槽を兼ねる洗濯槽２は洗浄水が通る複数個の小さな脱水穴６（φ３〜５ｍｍ）が設けられ、洗濯槽２の回転により、洗濯物に含まれる洗たく水が遠心分離されて脱水穴６から放出される。
【００１４】
洗濯回転体３は、外槽５の外底部に設けられる駆動装置７により駆動される。駆動装置７は、電動機、減速装置、クラッチ等を有する。駆動装置７の電動機を正逆回転することにより、洗濯物に上下方向の繰返す押し洗い力が作用し、洗濯が行なわれる。
【００１５】
電動機は可逆回転形のコンデンサ電動機又はＤＣブラシレスモータが用いられ、クラッチにより、洗濯回転体３と洗濯槽２の回転を切替える。また、減速装置として遊星歯車が用いられる。
【００１６】
洗濯回転体３は、図２に示すように、上面の外周部に凸部３Ａと凹部３Ｂを有する。洗濯回転体３の正逆回転に伴い、凸部３Ａと凹部３Ｂにより洗濯物に上下方向の作動が生じ洗われる。また、洗濯物の上下の入れ替わりが促進され、洗いムラなく良く洗われる。
【００１７】
トップカバー２０は、洗濯機本体の外枠１の上側に取り付けられる。トップカバー２０には、外蓋２１が備わる。外蓋２１は、洗濯物の出し入れに際し、開け閉めされる。
【００１８】
注水手段は、洗濯槽２の上側になるトップカバー２０の内部に設けられる。注水手段は、注水口２２を有し、この注水口２２は洗濯槽２の上開口に臨むように設けられる。
【００１９】
水道水ホース接続部２３は、トップカバー２０の上面に設けられる。トップカバー２０内に設ける給水電磁弁２４は流入側が水道水ホース接続部２３に接続される。給水電磁弁２４の吐出側は注水手段の注水口２２に連通するように接続され大気側に連通している。
【００２０】
風呂水吸水兼洗濯水循環用電動ポンプ２５は、外槽５の下側に位置するようにして外枠１内に設けられる。この風呂水吸水兼洗濯水循環用電動ポンプ２５は、図３に示すような構成を有する。
【００２１】
風呂水吸水兼洗濯水循環用電動ポンプ２５は、風呂水吸水ポンプ部２６と、洗濯水循環ポンプ部２７と、風呂水吸水ポンプ部２６に備わる風呂水吸水ランナー２８および洗濯水循環ポンプ部２７に備わる洗濯水循環ランナ２９を回転駆動するポンプ用電動機３０を有する。ポンプ用電動機３０の出力は風呂水側が約２５Ｗ、洗濯水循環側が約５０Ｗ程度である。
【００２２】
洗濯水循環ポンプ部２７は、洗濯水循環ランナ２９を内置する洗濯水循環ポンプケーシング４０ａ、４０ｂを有する。洗濯水循環ポンプケーシング４０ａは、分割される二つの循環ポンプケーシング片から構成され、分割面にＯリングシール又は熱溶着線９０を介して水密的に接合されている。洗濯水循環ポンプケーシング４０は、吸込側４１と吐出側４２を有する。
【００２３】
風呂水吸水ポンプ部２６は、風呂水吸水ランナ２８を内置する風呂水吸水ポンプケーシング４３を有する。風呂水吸水ポンプケーシング４３は、Ｏリングシール又は熱溶着線９０により洗濯水循環ポンプケーシング４０ｂに水密的に接合されている。
【００２４】
風呂水吸水ポンプケーシング４３は、吸込側４４、吐出側４５を有する。吸込側４４の吸込室４６の内部には、逆止弁４７が備わる。
【００２５】
風呂水吸水ランナ２８と、洗濯水循環ランナ２９は、ポンプ用電動機３０の回転軸４８に回り止めされて支持される。風呂水吸水ランナー２８は、回転軸４８に取り付けられ、抜け止めワッシャ４９、Ｃリング又はＥリング５０によりスラスト方向に動かないように止められる。回転軸４８は２段の段付きになっており各々研磨され面粗さを数μｍ程度に仕上げている。また、径の小さい１段目は根元にローレットを切って洗濯水循環ランナー２９の回転止めを行い、風呂水給水ランナー２８はＣリング又はＥリング５０を回転軸４８外径に切った溝に固定し、軸方向のストッパーとし、回転軸４８の両側をカットして回り止めとしている。これにより、軸シール６６及び軸シール６０がシール内径に傷を付けることなく挿入することができる。
固定洗濯水循環ポンプ部２７と風呂水吸水ポンプ部２６の配置については風呂水ポンプが自給タイプのため真空度を上げる必要から軸方向から吸込み外径方向に吐出する方式のポンプ構造とし、洗濯水循環ポンプは循環水量は多いが圧力は小さく、糸くずが洗濯水循環ランナー２９にからみつきにくくするため、外周部をウェスコタイプのランナー構造とし万一固形物が進入しても排出し易いように材質に可撓性の材料を使用した構造とし吸い込み口と吐き出し口を同一方向にした構造として風呂水吸水ポンプ部２６の後部に配置出来る構造とした。このため、吸込み口が同一軸上に無いので軸を短く、構造が複雑にならないで両者を配置できる。洗濯水循環ランナー２９とケーシングの外周方向の間隙は１〜３ｍｍ程度とし糸くずや固形物がつまりにくくしている。洗濯水循環ランナー２９は図４に示すように回転方向に対して吐出量を変化させるためブレード７０をラジアル方向に対して傾けて正回転方向に対しては吐出量大、逆回転方向に対しては小となるようにしている。特に逆回転方向で吐出量すなわち回転損失を小さくするには斜線部７１を設けることにより、逆回転時の回転損失をより低減できる。
【００２６】
軸シール６０は、風呂水吸水ポンプケーシング４３と循環ポンプケーシング４０ｂとの間をシールする。軸シール６１は循環ポンプケーシング４０ａとポンプ用電動機３０との間をシールする。これらの軸シール６０、６１により、風呂水吸水ポンプケーシング４３内と、循環ポンプケーシング４０内の水漏防止が保たれる。また、両者が独立してシールされているので真空度の高い自給式の風呂水給水ポンプの性能を低下しないで運転することが出来る。
【００２７】
洗濯水循環ポンプ部２７は、洗濯水循環ランナ２９、循環ポンプケーシング４０との間にラビリンス６２が設けられる。循環ポンプケーシング４０内に流れる洗濯水に含まれる糸くずが、ラビリンス６２に阻まれて、軸シール６０、６１側に侵入するのが阻止される。
【００２８】
風呂水吸水ポンプ部２６は、風呂水吸水ポンプケーシング４３に気水分離室６３を有する。この気水分離室６３で気水分離が行なわれるので、風呂水吸水ポンプケーシング４３に溜まる少ない呼水で自給による揚水をすることができる。
【００２９】
洗濯水循環ポンプ部２７の循環ポンプケーシング４０は、前記軸シール６１が内側に嵌る支持筒６４を有する。この支持筒６４には、仕切壁６５を介してボス支持筒６６が設けられる。このボス支持筒６６をポンプ用電動機３０のエンドブラケット６７に設けた軸受ボス６８の外周に嵌合させて洗濯水循環ポンプ部２７および風呂水吸水ポンプ部２６をポンプ用電動機３０に結合支持させる。
【００３０】
また、循環ポンプケーシング４０ａは、ボス支持筒６６の外周側に支持脚６９を有する。この支持脚６９の先端がエンドブラケット６７に当接することにより、循環ポンプケーシング４０ａとポンプ用電動機３０との結合が傾きなく行なわれる。
【００３１】
洗濯水循環ポンプ部２７の吐出側４２は、循環水昇り流路８０を介して注水手段の注水口２２に連通するように接続される。また吸込側４１は、吸込連通路８１を介して外槽５の内底側に連通するように接続される。
【００３２】
吸込連通路８１の途中は、分岐路を介して排水路８２に連通している。排水路８２には排水バルブ８３が備わる。
【００３３】
外枠１の上側のトップカバー２０には、風呂水ホース接続部８４が設けられる。この風呂水ホース接続部８４には、風呂水を導く風呂水ホース（図示せず）が接続される。また、間風呂水ホース接続部８４と風呂水給水ポンプ部２６との間（風呂水吸水下り流路８５の途中）には大気開放用電磁弁８８が設けられている。この、大気開放用電磁弁８８は洗濯槽内の水位が低いときに風呂の水位より低くなるケースの場合、サイフォン現象で風呂水給水ポンプを停止しても同水位まで給水が継続されることを防止する。すなわち、風呂水給水ポンプ部２６を停止と同時か若干遅れて大気開放用電磁弁８８をＯＮすることにより風呂からの風呂水の給水を停止させる。このため、この大気開放用電磁弁８８の位置については十分高い位置に設定することからトップカバー２０に設けている。
【００３４】
風呂水吸水ポンプ部２６の吸込側４４は、風呂水吸水下り流路８５を介して風呂水ホース接続部８４に連通するように接続される。吐出側４５は、つなぎ管８６を介して吸込連通路８１の途中に連通するように接続される。
【００３５】
図５に沿い、洗濯機の電気回路について述べる。
【００３６】
駆動装置７の電動機１００は、ＤＣブラシレスモータである。この電動機１００には、インバータ回路１０１より駆動電力が供給される。インバータ回路１０１はインバータ駆動回路１０２により制御される。インバータ駆動回路１０２はマイコンを主体とする制御回路１０３により制御される。
【００３７】
制御回路１０３には、電動機１００の位置センサ１０４の位置信号が取り込まれる。制御回路１０３は、位置センサ１０４の位置信号を読んで、電動機１００の回転制御を行なう。
【００３８】
表示素子１０５は、制御回路１０３からの表示信号に応じた点滅表示をする。制御回路１０３は、入力スイッチ１０６、水位センサ１０７の信号を読んで、洗濯機の運転を制御する。
【００３９】
交流電源１０８の電力は、フィルター回路１０９、整流回路１１０を介してインバータ回路１０１、制御回路１０３に供給される。
【００４０】
ポンプ用電動機３０には、交流の電力が供給される。ポンプ用電動機３０は、主巻線と補助巻線を有するコンデンサ電動機である。主巻線の入力端子と補助巻線の入力端子に半導体スイッチング素子１１１、１１２がそれぞれ接続される。この半導体スイッチング素子１１１、１１２を介してポンプ用電動機３０は、電源側に接続される。
【００４１】
スイッチング素子１１１、１１２のゲートには、制御回路１０３より駆動信号が入力される。スイッチング素子１１１、１１２のオン・オフにより、ポンプ用電動機３０の正転／逆転が行なわれる。ポンプ用電動機３０は、コンデンサ電動機に代わってＤＣブラシレスモータを用いることも可能である。この場合は、回転数が電源の周波数に依存することが無いので安定したポンプ性能を出すことが出来る。
【００４２】
次に洗濯機の動作について述べる。
【００４３】
ここでは、主にポンプ用電動機に関する動作を説明する。
【００４４】
まず、洗濯運転の開始に先立って、洗濯機に風呂水の吸水が行なわれる。風呂水がないときには、給水電磁弁２４をＯＮして水道水を吸水して洗濯運転を行なう。
【００４５】
さて、制御回路１０３の指示により給水電磁弁２４が開かれ、水道水が循環水昇り流路８０から洗濯水循環ポンプ部２７の循環ポンプケーシング４０及び洗濯槽２の底部に注がれる。注がれた水道水は、吐出側４２から吸込連通路８１に流れ込んで洗濯槽２の底部に溜まる。
【００４６】
吸込連通路８１の貯留量が増えると、水道水はつなぎ管８６を流れて風呂水吸水ポンプ部２６の吐出側４５から風呂水吸水ポンプケーシング４３に流れ込んで吸込室４６内に溜る。洗濯槽２の水位が上昇して、この風呂水吸水ポンプケーシング４３及び吸込室４６に溜まる水道水が風呂水吸水ポンプ部２６の呼び水になる。
【００４７】
この状態で、給水電磁弁２４を閉じ、ポンプ用電動機３０を正転方向に回す。風呂水吸水ポンプ部２６は、風呂水吸水ランナ２８の正転回転により、吸込室４６内の呼び水を吸いながら気水分離を行なう。この気水分離の運転により、風呂水吸水下り流路８５、および風呂水ホースの空気が抜けて風呂水の吸水が行なわれる。
【００４８】
吸水された風呂水は、風呂水吸水ポンプ部２６の吐出側４２からつなぎ管８６、吸込連通路８１を流れて外槽５に溜まる。
【００４９】
洗濯に必要な量の風呂水が給水されたら、大気開放用電磁弁８８をＯＮし、駆動装置７の電動機を運転して洗濯回転体３を回すとともに、ポンプ用電動機３０を逆方向に回転させる。洗濯水循環ポンプ部２７の洗濯水循環ランナー２９の逆転回転により、外槽５に溜まる洗濯水は、吸込連通路８１を経由して吸込側４１から吸い込まれ、吐出側４２から吐き出される。なお、図示では省略しているが糸くず捕集のフィルターは注水口２２の先端あるいは吸込み連通管８１の経路内に設けている。
【００５０】
吐き出された洗濯水は、循環水昇り流路８０を上って注水手段の注水口２２から洗濯槽２内の洗濯物に散布される。上下方向に繰返し押し洗いされる洗濯物に洗濯水が散布されるので、更に良く洗浄される。
【００５１】
洗濯水循環ランナー２９の逆転回転時には、風呂水吸水ランナー２８も逆転回転する。しかし、風呂水吸水ランナー２８の逆転回転には、ランナーのブレードが傾斜させ回転方向によりポンプ機能に差をつけているため風呂水吸水ポンプ部２６はポンプ機能が極端に低下し、ポンプとしての機能しないようになっている。また、逆に洗濯水循環ランナー２９の正転回転時には、洗濯水循環ポンプ部２７は同じようにランナーのブレードを傾斜させ回転方向によりポンプ機能に差をつけてポンプとして機能しないようになっている。
【００５２】
このため、ポンプ用電動機３０を正転／逆転することにより、風呂水吸水ポンプ部２６と、洗濯水循環ポンプ部２７の運転を切り替えることができる。
【００５３】
このように、風呂水給水ポンプと洗濯水循環ポンプよりなる風呂水吸水兼洗濯水循環用電動ポンプを一つの電動機で駆動するようにしたので、別々の電動機をもつものに比べ、部品点数が少なく安価な構成とすることができる。また、風呂水給水ポンプと、洗濯水循環ポンプの切り替えはポンプ用電動機の正転／逆転により行なわれるので、切り替え操作が簡単である。
【００５４】
さらに、風呂水吸水兼洗濯水循環用電動ポンプを外槽の下側に位置するように外枠内に備えたので、背丈が高く床面積の大きい風呂水給水ポンプをトップカバー側に配置しなくてもよいためトップカバーを低くし、洗濯物投入口を広くすることができる。また、洗濯機全体の丈を低く抑えることができる。トップカバーの高さを任意に変更できるので、デザインの変更も容易に行なえる。
【００５５】
また、風呂水吸水兼洗濯水循環用電動ポンプは、単独の風呂水給水ポンプや洗濯水循環ポンプに比べると大きいが、外槽の下側はトップカバー内に比べ、スペースが広く、風呂水吸水兼洗濯水循環用電動ポンプの配置が容易である。
【００５６】
上記実施例の洗濯機は洗濯槽が縦置きであるが、本発明は洗濯槽が横置きのドラム式洗濯機にも適用可能である。
【００５７】
また、上記実施例では、風呂水吸水兼洗濯水循環用電動ポンプの運転を、呼び水の給水を終えてから行なっているが、呼び水の給水開始と一緒にしても良い。
【００５８】
風呂水給水ポンプ部２６の吐出側４５は外槽５の底部に設けられた吸込連通路８１に接続しているため配管部が短くてもよい。また、直接外槽５の底部に接続してもよいが糸くずの影響を受け易いのでフィルターが必要である。本実施例の場合、配管部が吸込連通路８１の上側になっているため糸くずが風呂水給水ポンプ部２６に到達しにくい構造となっているので比較的目の粗いフィルター８７をつけるだけでよい。また、風呂水給水ポンプ部２６が動作するとフィルター８７に詰まる方向と逆方向に風呂水が流れるのでフィルター８７は常に洗浄された状態となり、糸くずによる詰まりの影響を受けにくい。
【００５９】
他の実施例を図６に示す。風呂水ホース接続部８４は風呂水ポンプ部２６の吸込側４４に接続されている。吐出側４５は、つなぎ管８６、逆止弁８８、フィルター８７を介して吸込連通路８１に連通するように接続されている。また、つなぎ管８６はつなぎ管８９を介して循環水昇り流路８０に接続されている。風呂水給水時は給水電磁弁２４をＯＮして洗濯槽２内に水道水を給水する。水道水は吸込連通路８１、フィルター８７、逆止弁８８、つなぎ管８６、吐出側４５を通って風呂水ポンプ部２６に溜まる。このとき、逆止弁８８は順方向になっている。吸込室４内に水道水が満杯になると風呂水ポンプ動作方向にポンプ用電動機３０は回転し、風呂水を吸い上げる。風呂水が吸い上げられると吐出側４５の配管内の圧力は上昇し、逆止弁８８が動作し閉じるので、風呂水はつなぎ管８９を介して循環水昇り流路８０を通って注水口２２から出てくる。ポンプ用電動機３０が停止すると注水口２２の位置が風呂の水面より高い位置にあるのでサイフォン現象は無いので給水は停止する。本発明の実施例によると大気開放用電磁弁８８が不要である。また、本来必要となる呼び水の配管を洗濯水循環ポンプ部２５の循環水昇り流路８０を共用しているので配管が少なくてよいので部品点数が削減できる。また、つなぎ管８９は風呂水ポンプ部２６の吐出側４５と洗濯水循環ポンプ部２７の吐出側４２を風呂水給水兼循環用電動ポンプ２５のケーシングを製作時共用することにより廃止することが出来る。
【００６０】
最後に、上述した実施例の特徴点をまとめて述べる。
（１）.本実施例の洗濯機は、洗濯物が収納される洗濯槽と、この洗濯槽を内置する外槽と、この外槽を内置する洗濯機の外枠と、風呂水の吸水と洗濯水の循環を行なう風呂水吸水兼洗濯水循環用電動ポンプを有し、前記風呂水吸水兼洗濯水循環用電動ポンプは、風呂水吸水ランナーが備わる風呂水吸水ポンプ部と、洗濯水循環ランナーが備わる洗濯水循環ポンプ部と、風呂水吸水ランナーおよび洗濯水循環ランナーを駆動するポンプ用電動機を有し、前記風呂水吸水兼洗濯水循環用電動ポンプは、前記外槽の下側に位置するように前記外枠内に備え、前記風呂水吸水ポンプ部のポンプ機能と前記洗濯水循環ポンプ部のポンプ機能が前記ポンプ用電動機の回転方向を切り替えにより切り替えられることを特徴としている。
（２）．本実施例の洗濯機は、（１）記載の洗濯機において、前記風呂水吸水ポンプ部が自吸式ポンプ機能を有することを特徴としている。
（３）．本実施例の洗濯機は、（１）記載の洗濯機において、前記洗濯槽の上側に注水口を含む注水手段を設け、前記洗濯水循環ポンプ部の吐出側を循環水昇り流路を介して注水手段に連通し、前記洗濯水循環ポンプ部の吸込側を前記外槽の内底側に連通したことを特徴としている。
（４）．本実施例の洗濯機は、（１）記載の洗濯機において、前記外枠の上側に風呂水ホース接続部を設け、前記風呂水吸水ポンプ部の吸込側を風呂水吸水下り流路を介して前記風呂水ホースの接続部に連通し、前記風呂水吸水ポンプ部の吐出側を前記外槽の内底側に連通したことを特徴としている。
（５）．本実施例の洗濯機は、（３）記載の洗濯機において、前記外枠の上側に水道水の給水電磁弁を設け、前記注水手段に前記給水電磁弁の吐出側を連通したことを特徴としている。
（６）．本実施例の洗濯機は、（３）記載の洗濯機において、前記洗濯水循環ポンプ部の吸込側と前記外槽の内底側とを連通する吸込連通路を設け、前記風呂水吸水ポンプ部の吐出側を前記吸込連通路に連通したことを特徴としている。
（７）．本実施例の洗濯機は、（１）〜（６）の何れか一つに記載された洗濯機において、前記ポンプ用電動機として主巻線と補助巻線を有するコンデンサ起動の単相誘導電動機を用い、前記主巻線の入力端子と前記補助巻線の入力端子を切り替えて前記ポンプ用電動機の正転／逆転の切り替えを行なうことを特徴としている。
（８）．本実施例の洗濯機は、（５）に記載された洗濯機において、前記風呂水吸水ポンプ部の運転開始前あるいは運転開始一緒に前記給水電磁弁を開いて呼水の給水を行なうことを特徴としている。
（９）．本実施例の洗濯機は、（１）〜（８）の何れか一つに記載された洗濯機において、前記洗濯槽の内底に洗濯回転体を備え、前記洗濯回転体を回転させる洗濯用電動機を前記外槽に備え、前記洗濯用電動機の回転に際し、前記ポンプ用電動機を前記洗濯水循環ポンプ部のポンプ機能を生じさせる方向に運転することを特徴としている。
【図面の簡単な説明】
【００６１】
【図１】本発明の実施形態に係わる実施例を示すもので、洗濯機の縦断面図。
【図２】本発明の実施形態に係わる実施例を示すもので、洗濯回転体の斜視図。
【図３】本発明の実施形態に係わる実施例を示すもので、風呂水吸水兼洗濯水循環用電動ポンプの要部拡大断面図。
【図４】本発明の実施形態に係わる実施例を示すもので、洗濯水循環ポンプの洗濯水循環ランナーの拡大断面図。
【図５】本発明の実施形態に係わる実施例を示すもので、洗濯機の電気回路図。
【図６】本発明の実施形態に係わる他の実施例を示すもので、洗濯機の縦断面図。
【符号の説明】
【００６２】
１…外枠、２…洗濯槽、５…外槽、２５…風呂水吸水兼洗濯水循環用電動ポンプ、２６…風呂水吸水ポンプ部、２７…洗濯水循環ポンプ部、２８…風呂水吸水ランナ、２９…洗濯水循環ランナ、３０…ポンプ用電動機。
【図１】
2006198293.tif 000003
【図２】
2006198293.tif 000004
【図３】
2006198293.tif 000005
【図４】
2006198293.tif 000006
【図５】
2006198293.tif 000007
【図６】
2006198293.tif 000008